(57)【特許請求の範囲】
【請求項１】
後方下向きに傾斜する傾斜後壁と該傾斜後壁の底側の挿入スロットとを有する前部ベースと、後部に配置された後部ブロックと、平行に配列されて前記前部ベースと前記後部ブロックとの間において両側で接続された二つの接続アームと、前記挿入スロットとの連通状態で前記前部ベースと前記後部ブロックとの間に画定された開口部と、前記二つの接続アームの間に接続されて上側で前記開口部に懸架された横掛けブロックと、前記後部ブロックの前壁に垂直方向に延在して前記開口部と対向する当接溝と、前記後部ブロックの底側に画定された底部開口収容室と、前記底部開口収容室との連通状態で前記後部ブロックに垂直方向に切り抜かれた貫通孔とを包含するコードロック。
【請求項２】
前記横掛けブロックが、平行に配列された複数の上部配置溝を上面に有する、請求項１に記載のコードロック。
【請求項３】
前記横掛けブロックが二重面取り底部エッジを有する、請求項１に記載のコードロック。
【請求項４】
前記後部ブロックの前記貫通孔に挿入され、前記底部開口収容室に留められてベルトまたはロープの端部を固定する位置決め部材をさらに包含する、請求項１に記載のコードロック。
【請求項５】
前記挿入スロットに挿入され、前記横掛けブロックに掛けられ、端部が前記後部ブロックを上方に越えて前記貫通孔から前記底部開口収容室へ延在し、結び目が該底部開口収容室に留められるように結び目が作られる布ベルトまたはロープとともに使用される、請求項１に記載のコードロック。
【発明の詳細な説明】
【技術分野】
【０００１】
本発明は、コードロック、より詳しくは、布ベルトまたはロープの一端部を後部に配置された後部ブロックに確実に留めることができるようにするため布ベルトまたはロープを挿入して掛けることのできるコードロックに関連する。
【背景技術】
【０００２】
従来のベルトバックルは普通、道具の二つの部品にそれぞれ付けられた二つの可撓性ひも状部材（ベルトまたはコード）を結合するのに使用するための雄バックル部材と雌バックル部材とを包含する。これらのベルトバックルは特に、靴、パンツ、衣服、バックパック、旅行鞄、ショルダーバッグ、安全ヘルメット、自転車アクセサリ（水筒、工具箱、収納箱）、遊具またはベビーカーの安全ベルト、他の多くの道具に使用される。さらに、異なる設計のバックルは雄バックル部材と雌バックル部材との間に異なる嵌合構造を有し、嵌合構造をロック解除する関連の動作プロセスも異なる。
【０００３】
図６は、先行技術によるベルトバックルを示す。この設計によれば、ベルトバックルは雄バックル部材Ａと雌バックル部材Ｂとを包含する。雄バックル部材Ａは、一方のベルト部材２０１を締結するための後部取付部分２０２と、前部保持ばねアーム２０３とを有する。雌バックル部材Ｂは、別のベルト部材３０１を締結するための後部取付部分３０２と、前部保持ばねアーム２０３を収容して雄バックル部材Ａを所定箇所に固定するための前部ソケット３０３とを有する。
【０００４】
装着の際に、ベルト部材２０１，３０１の取付端部が、雄または雌バックル部材Ａ，Ｂの後部取付部分２０２，３０２の挿入スロットに挿入されてから、所望する長さに応じて調節される。各ベルト部材２０１，３０１の余剰部分は雄または雌バックル部材Ａ，Ｂの後部取付部分２０２，３０２の外側に露出するため、製品の美観を損なう。さらに、各ベルト部材２０１，３０１の余剰部分が突然引っ張られることがある。
【０００５】
図７は先行技術によるコードロックを示す。この設計によれば、コードロックは、ボタン４０１と、ソケット４２１と、ばね部材４１１とを包含する。ボタン４０１は、柄部４０２と、柄部４０２に横方向に切り抜かれた貫通孔４０３と、両側で周面から突出して貫通孔４０３の底側に隣接する二つの突出ブロック４０４と、柄部４０２の末端部から軸方向に延出する延出ロッド４０５とを有する段付きの円筒体である。突出ブロック４０４はそれぞれ、平坦な上側とアーチ状の底側とを有する。ソケット４２１は、円筒形ボデーシェル４２２と、円筒形ボデーシェル４２２に画定された開口室４２３と、円筒形ボデーシェル４２２の周面に切り抜かれて両側で開口室４２３と連通する二つの開口孔４２４と、円筒形ボデーシェル４２２の底壁から上方に延出して開口室に懸架された配置ロッド５２５と、円筒形ボデーシェル４２２の内壁から内方に突出してそれぞれ貫通孔４２４の上に設けられた二つのガイドブロック４２６とを包含する。ばね部材４１１が開口室４２３に収容され、配置ロッド４２５と延出ロッド４０５との間に装着されている。ボタン４０１を開口室４２３へ挿入すると、突出ブロック４０４が面取りされたガイドブロック４２６上を開口室４２３の内側へ移動する。
【０００６】
ユーザがボタン４０１を押してばね部材４１１を圧縮すると、コード部材の挿入のためのソケット４２１の貫通孔４２４との軸方向整合状態となるようにボタン４０１の貫通孔４０３が移動する。ユーザがボタン４０１から手を離すと、ばね部材４１１が即座にボタン４０１を上方へ押してコード部材をロックする。このコードロックの構造は機能面でまだ充分とは言えない。コードロックと挿入されたコード部材とが交差状態で延在するため、円筒形のコードロックは、コード部材が装着された靴、バッグ、衣服の表面にソケット４２４の周面を密着させることができず、物品の美観を損なう。さらに、コードロックが急に押されると、ユーザは不快感を覚える。コード部材がボタン４０１の貫通孔４０３およびソケット４２１の貫通孔４２４から急に抜かれると、コードロックの部品が分解することがある。このような場合、ユーザは部品を再び組み立てるために長い時間を費やさなければならない。この設計によれば、ばね部材４１１はコイルばねである。ボタン４０１を押してばね部材４１１を圧縮すると、ばね部材４１１はカーブしてボタン４０１の振動または傾斜を起こす。さらに、この設計のコードロックは所定の高さを有して、輪郭の低い用途には適していない。さらに、この設計のコードロックの使用中には、コード部材の余剰部分がコードロックの外側に露出する。コード部材の露出余剰部分が突然引っ張られて、コードロックの部品の間に摩擦を起こすことがある。さらに、コード部材の露出余剰部分が物品（パンツ、バッグなど）の隙間に詰まりやすく破損を起こすことがある。
【０００７】
そのため、上述の先行技術設計の欠点を無くしたコードロックを提供することが望ましい。
【発明の概要】
【発明が解決しようとする課題】
【０００８】
本発明は、状況を考慮して成し遂げられた。本発明の目的の一つは、装着された布ベルトまたはロープの端部が隠されているコードロックを提供することである。
【課題を解決するための手段】
【０００９】
本発明のこの目的および他の目的を達成するため、コードロックは、後方下向きに傾斜する傾斜後壁と傾斜後壁の底側の挿入スロットとを有する前部ベースと、後部に配置された後部ブロックと、平行に配列されて前記前部ベースと前記後部ブロックとの間において両側で接続された二つの接続アームと、前記挿入スロットとの連通状態で前記前部ベースと前記後部ブロックとの間に画定された開口部と、前記二つの接続アームの間に接続されて上側で開口部に懸架された横掛けブロックと、前記後部ブロックの前壁に垂直方向に延在して前記開口部と対向する当接溝と、前記後部ブロックの底側に画定された底部開口収容室と、前記底部開口収容室との連通状態で前記後部ブロックに垂直方向に切り抜かれた貫通孔とを包含する。使用時に、布ベルトまたはロープの端部は挿入スロットに挿入されて横掛けブロックに掛けられてから、挿入スロットから延出し、次に、布ベルトまたはロープの端部の余剰部分に結び目が作られて底部開口収容室に留められるか、位置決め部材に締結されて位置決め部材とともに底部開口収容室に収容されるように、後部ブロックの後側で上方に折り返される。
【図面の簡単な説明】
【００１０】
【図１】本発明によるコードロックの全体斜視図である。
【図２】本発明によるコードロックの断面斜視図である。
【図３】本発明によるコードロックの縦断面図である。
【図４】コードロックの一使用例を示す、本発明の概略的な縦断面図である。
【図５】コードロックの別の使用例を示す、本発明の概略的な縦断面図である。
【図６】先行技術によるベルトバックルの分解斜視図である。
【図７】先行技術によるコードロックの分解斜視図である。
【発明を実施するための形態】
【００１１】
図１乃至４を参照すると、後方下向きに傾斜する傾斜後壁１１と底側のアーチ状挿入スロット（挿入スロット）１１１とを有する前方上向きカーブ状の前部ベース１と、後方下向きに滑らかにカーブする後部ブロック１４と、平行に配列されて前部ベース１と後部ブロック１４との間において両側で接続された二つの接続アーム１２と、アーチ状挿入スロット１１１との連通状態で前部ベース１と後部ブロック１４との間に画定された開口部１３と、二重面取り底部エッジ１２３を有し、二つの接続アーム１２の間に接続され、上側で開口部１３に懸架された横掛けブロック１２１と、横掛けブロック１２１の上面に平行に配列されて前部ベース１から後部ブロック１４の方向に延在する複数の上部配置溝１２２と、横方向において内方に滑らかにカーブし、後部ブロック１４の前壁において垂直方向に延在し、開口部１３と対向する当接溝１４１と、後部ブロック１４の底側に画定された底部開口収容室１４３と、底部開口収容室１４３との連通状態で後部ブロック１４に垂直方向に切り抜かれた貫通孔１４２とを有する、本発明によるコードロックが示されている。
【００１２】
図１，２，４を参照すると、布ベルト２はアーチ状挿入スロット１１１から開口部１３へ挿入され、次に横掛けブロック１２１の上側に延在し、次に開口部１３からコードロックの外側へ下方に延出し、次に後部ブロック１４を越えて上方に延出してから、位置決め部材４に締結される。この位置決め部材４は貫通孔１４２に挿入され、拡張上端部が後部ブロック１４の上側に留められるとともに、拡張底端部が貫通孔１４２の下の底部開口収容室１４３に留められる。
【００１３】
図５は、本発明の別の使用例を示す。図１，２，５に見られるように、ロープ３が、アーチ状挿入スロット１１１から開口部１３へ挿入され、次に、横掛けブロック１２１の上部配置溝１２２との密着状態で横掛けブロック１２１の上側に延在し、次に、開口部１３からコードロックの外側へ下方に延出し、次に後部ブロック１４を越えて上方に延在し、次に貫通孔１４２から底部開口収容室１４３へ挿入されてから、底部開口収容室１４３に収容される結び目が作られて貫通孔１４２からの抜けが防止される。
【００１４】
上述した二つの使用例では、横掛けブロック１２１の上部配置溝１２２は、布ベルト２またはロープ３と横掛けブロック１２１との間の摩擦抵抗を高めて、横掛けブロック１２１に対する布ベルト２またはロープ３の滑りを回避する。
【００１５】
布ベルト２またはロープ３とともにコードロックが使用される際には、布ベルト２またはロープ３における横掛けブロック１２１と後部ブロック１４との間の部分が、パンツ、バッグ、他の物品の上部または下部に装着される。装着の後にユーザは、布ベルト２またはロープ３における横掛けブロック１２１と後部ブロック１４との間の部分の長さを調節することにより、布ベルト２またはロープ３に囲まれた物品の部分の締め付けを調節できる。さらに、滑らかなカーブ状のコードロックの底側は物品の表面に密着できるため、布ベルト２またはロープ３における横掛けブロック１２１の上側に支持された部分は、逆の二方向に均一に引っ張られて物品への下方圧力をコードロックに加え、布ベルト２またはロープ３の緩みを防止する。
【００１６】
さらに、ユーザは、位置決め部材４から布ベルト２を外すか、底部開口収容室１４３に収容されたロープ３の端部の結び目をほどいてから、余剰長さの布ベルト２を位置決め部材４に締結するか、余剰長さのロープ３を結ぶかして、余剰長さの布ベルト２またはロープ３を底部開口収容室１４３に収容し、余剰長さの布ベルト２またはロープ３を見えないように隠してコードロックと布ベルト２またはロープ３との間の摩擦を防止する。
【００１７】
上記のように、本発明は、後方下向きに傾斜する傾斜後壁１１と底側のアーチ状挿入スロット１１１とを有する前部ベース１と、後部に配置された後部ブロック１４と、平行に配列されて前部ベース１と後部ブロック１４との間において両側で接続された二つの接続アーム１２と、アーチ状挿入スロット１１１との連通状態で前部ベース１と後部ブロック１４との間に画定された開口部１３と、開口部１３において二つの接続アーム１２の間に接続された横掛けブロック１２１と、後部ブロック１４の前壁において垂直方向に延在して開口部１３と対向する当接溝１４１と、後部ブロック１４の底側に画定された底部開口収容室１４３と、底部開口収容室１４３との連通状態において後部ブロック１４に垂直方向に切り抜かれた貫通孔１４２とを包含するコードロックを提供する。
コードロックは、布ベルト２またはロープ３とともに使用される。布ベルト２またはロープ３は、布ベルト２またはロープ３が横掛けブロック１２１に掛けられるように端部がアーチ状挿入スロット１１１から横掛けブロック１２１を通り、次に布ベルト２またはロープ３の端部がコードロックの底側から延出して後部ブロック１４の後側を通り、次に貫通孔１４２から底部開口収容室１４３へと下方へ曲げられてから、位置決め部材４または結び目によりここに固定される。
【００１８】
例示を目的として本発明の特定実施例について詳細に説明したが、発明の趣旨および範囲を逸脱することなく様々な変形および改良が行なわれる。したがって、添付の請求項によるもの以外に本発明は限定されないものとする。
【符号の説明】
【００１９】
１  前部ベース
２  布ベルト
３  ロープ
４  位置決め部材
１１  傾斜後壁
１２  接続アーム
１３  開口部
１４  後部ブロック
１１１  アーチ状挿入スロット（挿入スロット）
１２１  横掛けブロック
１２２  上部配置溝
１２３  底部エッジ
１４１  当接溝
１４２  貫通孔
１４３  底部開口収容室
【図１】
0005197416.tif 000002
【図２】
0005197416.tif 000003
【図３】
0005197416.tif 000004
【図４】
0005197416.tif 000005
【図５】
0005197416.tif 000006
【図６】
0005197416.tif 000007
【図７】
0005197416.tif 000008